(57)【要約】【課題】簡単な構造であるにも拘らず、堅固な状態で対象物を室内に掛架することができ、しかも取付けにあたって室内の天井などに傷を付けることがない取付け取外しの簡単な室内掛架装置を提供する。【解決手段】支柱１と、この支柱の上部に設けた支点２を中心にして回動自在に取付けた支持腕３とを有しており、前記支持腕３は前記支点２からの長さが短い方を室内の天井２１または室内にあるカーテンボックスや梁のような段部２２に固定させる固定部４となし、前記支点２からの長さが長い方を対象物を掛架する掛架部５となして、当該掛架部５の自重または当該掛架部５に掛ける対象物の荷重によって前記支持腕３の固定部４が室内の天井２１または室内にあるカーテンボックスや梁のような段部２２に固定されるようにした。【選択図】図９
2018046979.tif 000002
【特許請求の範囲】
【請求項１】
支柱と、この支柱の上部に設けた支点を中心にして回動自在に取付けた支持腕とを有してなる室内掛架装置であって、前記支持腕は前記支点からの長さが短い方を室内の天井または室内にあるカーテンボックスや梁のような段部に固定させる固定部となし、前記支点からの長さが長い方を対象物を掛架する掛架部となして、当該掛架部の自重または当該掛架部に掛ける対象物の荷重によって前記支持腕の固定部が室内の天井または室内にあるカーテンボックスや梁のような段部に固定されるようになっていることを特徴とする室内掛架装置。
【請求項２】
前記支柱の上部に設けた支点より下方位置に第２の支点を設け、当該第２の支点に対象物を掛架する掛架部を備えた第２の支持腕を回動自在に取付け、当該第２の支持腕より上方に位置する支持腕における掛架部と前記第２の支持腕の掛架部とを連接杆にて繋げたことを特徴とする請求項１に記載の室内掛架装置。
【発明の詳細な説明】
【技術分野】
【０００１】
本発明は洗濯物や、自転車あるいは鉢植えの観葉植物などの対象物を室内にて簡単に掛架することができる室内掛架装置に係り、特に室内の天井や壁面などに傷を付けることなく簡単な操作で安定的に対象物を掛けることができる室内掛架装置に関する。
【背景技術】
【０００２】
雨天の時や低温時など天候に起因する場合や、日中不在にするため屋外に洗濯物を放置できないといった生活行動に起因する場合、また住宅の補修や修繕時など物理的に屋外に干すことが出来ない場合など、洗濯物を室内において干さざるを得ないことがある。また、高価な自転車を盗難から護るため、室内に自転車を搬入して平置き状態で保管することが行われている。
【０００３】
これまでの室内掛架装置としては、たとえば、下記特許文献１に、伸縮自在に構成した支柱を、天井部と床部の間に突っ張った状態で固定し、支柱に取付けた支持腕を利用して洗濯物など対象物を干すことが開示されている。
【０００４】
また、下記特許文献２には、取付部に取り付けられる吊掛装置ベースと、この吊掛装置ベースに着脱可能に吊り下げられる吊下シャフトとから構成される室内吊掛装置が開示されている。
【先行技術文献】
【特許文献】
【０００５】
【特許文献１】特開２００２−１５３６９９
【特許文献２】特開２０１３−２４８３２４
【発明の概要】
【発明が解決しようとする課題】
【０００６】
前記特許文献１に開示された物干し装置の主たる構成要素である支柱は、伸縮自在に構成され、天井部と床部とに突っ張った状態で固定されるようになっている。そのため、この従来の物干し装置によった場合は、天井部と床部の間に支柱を安定的に固定するのに多くの手間を要すると共に、支持腕に掛ける洗濯物などの重量によっては支柱の突っ張りが外れ、物干し装置自体が支持腕の突出方向に傾倒するという問題点がある。
【０００７】
また、特許文献２に示された吊掛装置によった場合は、吊掛装置ベースを固定ネジ等の固定手段によって取付部としての天井に固定状態で取付けなければならず、天井に傷を付けることになると共に、吊下シャフトを保持するための構造も、バネ部材を用いるなど複雑な構造となっていて取付けに多くの手間を要するという問題点があると共に、観葉植物や花の鉢植えなど吊り下げ対象物の重量次第では装置が天井から抜け落ちる危険性もある。
【０００８】
本発明は前記した従来の室内掛架装置の問題点を解消し、簡単な構造であるにも拘らず、堅固な状態で対象物を室内に掛架することができ、しかも取付けにあたって室内の天井などに傷を付けることがない取付け取外しの簡単な室内掛架装置を提供することを目的とするものである。
【課題を解決するための手段】
【０００９】
上記課題を解決するための本発明の構成を詳述すれば、請求項１に係る発明は、支柱と、この支柱の上部に設けた支点を中心にして回動自在に取付けた支持腕とを有してなる室内掛架装置であって、前記支持腕は前記支点からの長さが短い方を室内の天井または室内にあるカーテンボックスや梁のような段部に固定させる固定部となし、前記支点からの長さが長い方を対象物を掛架する掛架部となして、当該掛架部の自重または当該掛架部に掛ける対象物の荷重によって前記支持腕の固定部が室内の天井または室内にあるカーテンボックスや梁のような段部に固定されるようになっていることを特徴とする室内掛架装置である。
【００１０】
また、請求項２に係る発明は、前記支柱の上部に設けた支点より下方位置に第２の支点を設け、当該第２の支点に対象物を掛架する掛架部を備えた第２の支持腕を回動自在に取付け、当該第２の支持腕より上方に位置する支持腕における掛架部と前記第２の支持腕の掛架部とを連接杆にて繋げたことを特徴とする請求項１に記載の室内掛架装置である。
【発明の効果】
【００１１】
請求項１に係る発明によれば、支持腕の掛架部に洗濯物や比較的重量のある自転車など対象物を掛架させると、支柱上部の支点で回動自在に支えられた固定部の先端が掛架部とは逆に上方に持ち上がり、天井、あるいは室内にあるカーテンボックスや梁のような段部に当接して掛架部に掛かる対象物の荷重が支柱を支える床面方向に加わることによって支柱が自立することができ、きわめて狭いスペースで多くの対象物を安定的に吊り下げることが可能となる。
なお、掛架部から洗濯物などの対象物を取り去った場合においても、支持腕における掛架部の自重によって固定部の先端部が天井や、室内にあるカーテンボックスなどの段部に当接して支柱を自立させることになるので、取扱いの容易な室内掛架装置を提供することができる。
【００１２】
また、請求項２のように、支柱の上部に設けた支点より下方位置に第２の支点を設け、当該第２の支点に対象物を掛架する掛架部を備えた第２の支持腕を回動自在に取付け、当該第２の支持腕より上方に位置する支持腕における掛架部と前記第２の支持腕の掛架部とを連接杆にて繋げるようにした場合は、より多くの対象物を安定した状態で室内掛架が可能となる。
【図面の簡単な説明】
【００１３】
【図１】本発明に係る室内掛架装置の一実施形態を示す斜視図である。
【図２】本発明に係る室内掛架装置における支持腕の動作を示す説明図である。
【図３】支柱の上部に回動自在に取付ける支持腕周辺部の拡大断面図である。
【図４】本発明に係る室内掛架装置の他の実施形態を示す斜視図である。
【図５】本発明に係る室内掛架装置のさらに他の実施形態を示す斜視図である。
【図６】図５に示す実施形態の室内掛架装置の応用例を示す説明図である。
【図７】支持腕における固定部の先端に安定部材を取付けた一例を示す斜視図である。
【図８】図７に示す安定部材周辺の拡大図である。
【図９】本発明に係る室内掛架装置の使用状態の一例を示す側面図である。
【図１０】支柱を長さ調節ができるように複数本に分割したときの一例を示す斜視図である。
【発明を実施するための形態】
【００１４】
以下、本発明に係る室内掛架装置の具体的構成を図示の実施形態に基づき詳細に説明する。
【００１５】
なお、次に示す実施形態は、本発明の技術思想を具体化するための室内掛架装置を例示するに過ぎないものであって、本発明は以下の構成に限定されるものではない。特に実施の形態および図面に記載されている構成要素の大きさ、材質、形状などは、特定的な記載がない限り本発明の範囲をそれのみに限定する趣旨ではなく、単なる説明例に過ぎないものである。また、各図面が示す部材の大きさや位置関係等は説明を明確にするために誇張していることがある。
【００１６】
本発明に係る室内掛架装置は、支点、力点、作用点からなるてこの原理を応用したものであり、１本または複数本の支柱１と、当該支柱１の上部に設けた支点２を中心にして回動自在に取付けた支持腕３とを有してなる室内掛架装置であって、前記支持腕３は前記支点２からの長さが短い方を室内の天井２１または室内にあるカーテンボックスや梁のような段部２２に固定させる固定部４となし、前記支点２からの長さが長い方を対象物を掛架する掛架部５となして、当該掛架部５自体の自重または当該掛架部５に掛ける掛架対象物の荷重によって前記支持腕３の固定部４が室内の天井２１または室内にあるカーテンボックスや梁のような段部に固定されるようになっていることを特徴としている。
【００１７】
先ず、支柱１は木材、アルミニウム合金、硬質合成樹脂、あるいはこれらの複合材などを用いて長尺状に形成されたもので、設置場所が天井付近となる場合は、床面２３から天井２１までの長さより若干短めの寸法とする。また、設置場所が室内にあるカーテンボックスや梁のような段部２２の場合には床面２３から当該段部２２までの長さより若干長め、あるいは当該段部までの長さより若干短めの長さとすることができる。
【００１８】
なお、図示する実施形態においては、支柱１は何れも扁平板状に形成されているが、これを円筒状ないし角筒状などに加工してもよいのは勿論である。また、図１０に示すように、長尺状の支柱１をそれぞれ長さが異なる複数個に分割し、当該長さの異なる分割支柱１Ａ、１Ｂ・・・を使用時の必要長さを考慮して、相互に連結できるようにしておくと利便性が向上すると共に、不使用時の収納が便利になる。さらに、特に図示しないが、支柱１を長さ調節自在な従来公知の異径管をもって構成し、床面からの必要長さを適宜調整するようにすることもでき、これらの変更例ないし応用例も本発明の範囲に含まれるのは云うまでもない。
【００１９】
前記支柱１の上部に設ける支点２には、図３に示すように通孔６を穿設してあり、当該通孔６内に軸７を遊嵌または螺着などで固定し、通孔６外に突出した軸７に支持腕３を回動自在に取付ける。なお、支柱１の上部に穿設した通孔６に軸７を遊嵌する場合には、軸７が通孔６から脱落するのを防ぐため軸７の先端部に適宜ナットなどの止め具を取付けるようにするとよい。また、支持腕３の回動動作を滑らかにするため支持腕３に穿設した通孔１１の内周面に適宜スリーブ（特に図示せず）などを付設するようにするとよい。支持腕３の通孔１１を貫通した軸７の先端部にはナットなどの止め具８を適宜取付ける。
【００２０】
支持腕３は、支点２からの長さが短い方を室内の天井２１または室内にあるカーテンボックスや梁のような段部２２に固定させる固定部４となっており、前記支点２からの長さが長い方を対象物を掛架する掛架部５としてある。図２に示すように固定部４に切欠部１０を形成しておくと、室内の梁のような段部２２に切欠部１０が面接触して安定状態を保持することができる。なお、固定部４にこのような切欠部１０を形成しなくても、掛架部５に負荷が掛かると、後述するように固定部４の先端隅角部が天井２１や梁面などに線状に当接して安定状態を保持できるのは云うまでもない。なお、固定部４に、特に図示しない緩衝材などを適宜施すことによって、天井面や梁面に固定部４の先端隅角部が線状に当接して跡が付くのを防ぐことができる。
【００２１】
掛架部５は支柱１の支点２からの距離が、固定部４の場合より長くなっており、図１および図２に示すように先端部には通孔１２を穿設してある。この通孔１２を利用して洗濯物のハンガーフック部を引っ掛けたり、あるいは図４に示す実施形態のように、間隔を開けて並置した２本の支柱１，１のそれぞれの支持腕３，３の通孔１２、１２内に竿１３を架け渡して、当該竿１３に洗濯物、あるいはハンガーに掛けたコートなど所望のものを掛けることができる。
【００２２】
なお、図示する実施形態においては、支持腕３の通孔１２、１２に竿１３を架け渡しているが、当該通孔は通孔に替えて支持腕３の上部に適宜半円形状や半楕円形状などの切欠を設け、当該切欠に竿１３を掛け渡す方法に依ってもよい。
【００２３】
上記したように掛架部５に負荷が掛かると、支点２を中心にして支持腕３が回動し、固定部４の先端が上方に引き上げられて、天井２１や、カーテンボックスあるいは梁のような段部２２に当接し、一方、支柱１には床面２３方向に向く力が作用するので全体が安定状態を維持することができる。なお、支持腕３の掛架部５は固定部４より長尺となっており、それ自体重量があるので、掛架部５に対象物を掛けていなくても固定部４には相応の力が作用するので支柱１は自立することができる。
【００２４】
次に、図５は本発明室内掛架装置の他の実施形態を示すもので、支柱１の上部に設けた支点２より下方位置に第２の支点１４を設け、当該第２の支点１４に対象物を掛架する掛架部１５を備えた第２の支持腕１６を回動自在に取付け、当該第２の支持腕１６より上方に位置する支持腕３における掛架部５と前記第２の支持腕１６の掛架部１５とを連接杆１７にて繋げるようにしたものである。
なお、この実施形態における第２の支持腕１６には天井や梁面などに当接させる固定部は不要であり、第２の支持腕１６の掛架部１５に掛けた洗濯物などの対象物の負荷は連接杆１７を介して上段に位置する支持腕３の掛架部５に掛かり、支持腕３の固定部４が天井２１または室内にあるカーテンボックスや梁のような段部２２に当接して安定的に固定される。
【００２５】
図６に示す実施形態は、連接杆１７にて上段に位置する支持腕３における掛架部５と第２の支持腕１６の掛架部１５とを繋げた室内掛架装置を間隔を開けて２基並置し、２本の支柱１，１のそれぞれの支持腕３，３、支持腕１６，１６の通孔１２、１２内に竿１３，１３を架け渡して、当該竿１３，１３に所望の対象物を掛けられるようにしたものである。この実施形態によった場合は、より多くの洗濯物など対象物を安定した状態で掛架することができる。
【００２６】
次に、図７および図８は前記支持腕３における固定部４の先端に安定部材１８を取付けた一例を示すもので、安定部材１８にはたとえばカーテンボックスの内側に係合する所要長さの突片２５を突設してあり、当該安定部材１８の下端部を固定部４の先端部に形成した段部に当接させて、着脱を可能とする螺子などの部材又は接着剤などにより固定してある。
当該安定部材１８を具備した支持腕３の場合、安定部材１８の突片２５がカーテンボックスの内側などに係合するので、室内掛架装置の全体をきわめて安定した状態に保持することができる。
【００２７】
図９は本発明に係る室内掛架装置の使用状態の一例を示す側面図であり、連接杆１７にて、上段に位置する支持腕３における掛架部５と第２の支持腕１６の掛架部１５とを繋げた室内掛架装置において、それぞれの掛架部５，１５の先端部に自転車のフレームのトップチューブを引っ掛けることができる受け部１９，１９を取付けて、２台の自転車２０，２０を立体的且つコンパクトに室内掛架できるようにしたものである。
【００２８】
この実施例の場合、第２の支持腕１６の掛架部１５に吊り下げられた自転車２０の荷重は連接杆１７を介して上部に位置する支持腕３の固定部４に作用し、きわめて安定した状態で２台の自転車２０を立体的に保持することができる。
【００２９】
なお、図９において室内掛架装置への自転車掛架台数は２台として例示しているが、掛架部１５と連接杆１７を外し１台用とすること、連接杆１７をさらに長尺なものとし支点および掛架部を追加することにより３台以上とすることができるのは勿論である。
【００３０】
支持腕３，１６の掛架部５，１５に取付ける受け部１９，１９は掛架部５に掛ける対象物に応じて図示する以外にも様々な構造、形状のものとすることができ、これら受け部の構造、形状の変化によって本発明の範囲に影響を与えるものでないことは勿論である。
また、支柱１の下端部、すなわち床面２３に当接する部分には、特に図示しないが、安定性を向上させるため、滑り止め特性に優れた効果を示現する合成樹脂エラストマーなどからなるベース部材を嵌着するとよい。
【００３１】
以上のように、本発明に係る室内掛架装置によった場合は、簡単な構造であるにも拘らず、堅固な状態で対象物を室内に掛架することができ、しかも取付けにあたって室内の天井などに傷を付けることがない取付け、取外しの簡単な室内掛架装置を提供することができる。
【符号の説明】
【００３２】
１：支柱
１Ａ：分割支柱
１Ｂ：分割支柱
２：支点
３：支持腕
４：固定部
５：掛架部
６：通孔
７：軸
８：止め具
１０：切欠部
１１：通孔
１２：通孔
１４：第２の支点
１５：掛架部
１６：第２の支持腕
１７：連接杆
２１：天井
２２：段部
２３：床面
【図１】
2018046979.tif 000003
【図２】
2018046979.tif 000004
【図３】
2018046979.tif 000005
【図４】
2018046979.tif 000006
【図５】
2018046979.tif 000007
【図６】
2018046979.tif 000008
【図７】
2018046979.tif 000009
【図８】
2018046979.tif 000010
【図９】
2018046979.tif 000011
【図１０】
2018046979.tif 000012